(57)【要約】【課題】盾と催涙スプレーを共に有効に利用できる防護装置である催涙スプレー付きの盾を提供すること。【解決手段】盾本体３の裏面に取っ手５を設け、該取っ手５に隣接した位置には催涙スプレー２の取付部６を設け、催涙スプレー２の催涙ガス噴射ノズル１０から噴射されたガスが通過する盾本体３の開口部３ａから盾本体３の前面から外部に向けて噴出する構造である。盾本体３に催涙スプレー２が付いているため盾本体３で相手の攻撃を受け止めながら、催涙スプレー２で反撃が可能になる。特に盾本体３が透明部材でできたものであれば、相手の動きを良く観察できる。また、取っ手５の内部に催涙スプレー２の加圧ボンベ７部分の収納部を設け、取っ手３の上部に催涙スプレー２の催涙ガス噴射ボタン１４を臨ませた構成にしても良い。【選択図】　図１
2004077026.tif 000002
【特許請求の範囲】
【請求項１】
平板状又は湾曲板状の板材から成る盾本体の裏面に取っ手と加圧ガスボンベ内に液化催涙ガスを充填した催涙スプレーの取付部を設けた催涙スプレー付き盾であって、
催涙スプレーには催涙ガス噴射ボタンと該ボタンの押圧により催涙ガスを噴射する催涙ガス噴射ノズルを設け、該催涙ガス噴射ノズルから出た催涙ガスが盾本体の表面側から噴出する開口部を盾本体に設けたことを特徴とする催涙スプレー付き盾。
【請求項２】
催涙スプレーの加圧ガスボンベを、その底部を下側にして直立状態で盾本体に取り付けたことを特徴とする請求項１記載の催涙スプレー付き盾。
【請求項３】
盾本体の取っ手に催涙スプレーの催涙ガス噴射ボタン作動用のレバーを取り付けたことを特徴とする請求項１記載の催涙スプレー付き盾。
【請求項４】
催涙スプレーの取付部は、盾本体の取っ手内部に設けた催涙スプレーの加圧ガスボンベ部分の収納部と、取っ手の上部に催涙ガス噴射ボタンを臨ませた構成を備えたことを特徴とする請求項１記載の催涙スプレー付き盾。
【発明の詳細な説明】
【０００１】
【発明の属する技術分野】
本発明は、防御用部材である盾本体に催涙スプレーを付属させた催涙スプレー付き盾に関する。
【０００２】
【従来の技術】
近年、長い景気の低迷、生存競争激化などにより社会的な不安定要因が多く、暴力的が事件が多発している。そのために公権力による暴力行為の取り締まりでは迅速性に欠けることがあり、自己防衛を図る手段の開発も盛んに行われている。
【０００３】
自己防衛を図る手段としては警報機器、催涙具、棍棒、盾、電気ショック機器等がある。
その中で、防御用の盾は日本では主に警察管の護身用に使用されてきたが、犯罪の凶悪化に対応して警備会社のみならず、銀行、消費者金融会社および深夜営業のコンビニエンスストア等の人の出入りが多く、また大量に現金があると考えられている民間の組織でも護身用に使用したいというニーズが高まっている。また、前記民間組織では催涙スプレーを常備している場合が多い。
【０００４】
【発明が解決しようとする課題】
盾は専ら攻撃相手から身を守るために有効に利用されるものであるが、盾は金属パイプ、ナイフ等の凶器を用いる暴漢などに襲われた場合に、その攻撃を受け止めるのが精一杯で相手を撃退することは難しい。
【０００５】
また、催涙スプレーは、非力な者でも相手を攻撃できるため護身用具としては有利な手段であるが、これだけでは有効な自衛手段とはなり得ない。催涙スプレーを使用して催涙ガスが効果を発揮するまでの間には相手からの攻撃に対して防御ができない。間違って攻撃相手の風下に立ってしまうと催涙スプレーの使用者に催涙ガスが降りかかってしまうおそれがある。また、催涙スプレーから催涙ガスを発射するときには相手に対して無防備に腕を伸ばして使用することになり、危険である。
【０００６】
そこで、盾と催涙スプレーを常時同時に携帯していると両方の長所を生かすことができ、有効な自衛手段になり得る。しかし、盾と催涙スプレーはそれぞれ別の部材であり、これらを一緒に携帯していることは希であり、緊急時に両方同時に使用することは難しい。
【０００７】
本発明の課題は、盾と催涙スプレーを共に有効に利用できる防護装置である催涙スプレー付きの盾を提供することである。
【０００８】
【課題を解決するための手段】
上記本発明の課題は、平板状又は湾曲板状の板材から成る盾本体の裏面に取っ手と加圧ガスボンベ内に液化催涙ガスを充填した催涙スプレーの取付部を設けた催涙スプレー付き盾であって、催涙スプレーには催涙ガス噴射ボタンと該ボタンの押圧により催涙ガスを噴射する催涙ガス噴射ノズルを設け、該催涙ガス噴射ノズルから出た催涙ガスが盾本体の表面側から噴出する開口部を盾本体に設けた催涙スプレー付き盾である。
【０００９】
上記構成によれば、盾本体に催涙スプレーが付いているため盾本体で相手の攻撃を受け止めながら、催涙スプレーで反撃が可能になる。特に盾本体が透明部材でできたものであれば、相手の動きを良く観察できる。
【００１０】
また、催涙ガス噴射ノズルからの催涙ガスは盾本体の開口部を通り、盾本体の表面側から外部に噴出するので、噴射催涙ガスが使用者自身にかかりにくいだけでなく、催涙スプレーを使用する時に相手に向かって伸ばした腕が盾本体で保護される。
【００１１】
また、催涙スプレーの加圧ガスボンベを、その底部を下側にして直立状態で盾本体に取り付けた構成としても良い。
上記構成によれば、催涙スプレーの加圧ガスボンベ中の液化催涙ガスが加圧ガスボンベ内に残らず最後まで使い切ることができる。
【００１２】
さらに、本発明の催涙スプレー付きの盾の盾本体の取っ手に催涙スプレーの催涙ガス噴射ボタン作動用のレバーを取り付けた構成にしても良い。
【００１３】
上記構成によれば、盾本体の取っ手部を把持している手で催涙スプレーの催涙ガス噴射ボタン作動用のレバーを作動できるので、盾本体で攻撃に対して防御しながら迅速に催涙スプレーを使用できる。
【００１４】
また、本発明の催涙スプレー付きの盾の催涙スプレーの取付部は、盾本体の取っ手内部に設けた催涙スプレーの加圧ガスボンベ部分の収納部と、取っ手の上部に催涙ガス噴射ボタンを臨ませた構成にしても良い。
【００１５】
上記構成によれば、催涙スプレーの加圧ガスボンベが盾本体の取っ手の内部に収納されているので、盾本体が透明であっても相手が催涙スプレーの存在に気づきにくく、催涙スプレーで反撃されると警戒されにくい。また前記加圧ガスボンベが盾本体の取っ手の内部に収納されていると、加圧ガスボンベの保護が図れ、また盾本体の必須の構成部材の中に加圧ガスボンベを収納できるので、防護装置としての催涙スプレー付き盾に無駄な突出部がなく、スマートな構成となる。
【００１６】
また、上記構成によれば、盾本体の取っ手に催涙スプレーの催涙ガス噴射用のボタンがあるので、盾本体で攻撃に対して防御しながら催涙ガスの噴射も容易に行える。
【００１７】
【発明の効果】
本発明の催涙スプレー付きの盾によれば、盾本体に催涙スプレーを一体化して取り付けたので、盾および催涙スプレーのそれぞれ固有の機能を併せ持つことができ、防護用装置としての機能性が高まり、有効な防御手段となる。
【００１８】
【発明の実施の形態】
本発明の実施の形態について図面と共に説明する。
図１には本実施の形態の催涙スプレー付きの盾の裏面側から見た斜視図を示す。
【００１９】
図１の盾１は、盾自体の機能に加えて催涙スプレー２の機能を十分に発揮させようとするものであり、盾本体３の裏面に取っ手５を設け、該取っ手５に隣接した位置には催涙スプレー２の取付部６を設けている。
【００２０】
盾本体３の材質は金属、プラスチックまたは木材などを用いることができ、また前記材質は不透明、半透明、透明材料のいずれでも良い。半透明又は透明材料が容易に得られることからプラスチックは望ましい材質である。プラスチックの中では耐衝撃性が高く、透明なポリカーボネートが最も好ましい。
【００２１】
図１に示す例では、催涙スプレー２の取付部６は縦長の催涙スプレー２の加圧ガスボンベ７部分を挿脱可能なベルト状の枠体９で構成しているが、催涙スプレー２の取付部６の形状、構造は催涙ボンベ７を収納できるものであれば、いかなる形状、構造のものでも良い。
【００２２】
盾本体３には催涙スプレー２の催涙ガス噴射ノズル１０から噴射されたガスが通過する開口部３ａ（図３参照）を設けておき、該ノズル１０を経由して催涙ガスが盾本体３の前面から外部に向けて噴出する構造にしておく必要がある。
【００２３】
なお、催涙ガス噴射ノズル１０は盾本体３の開口部３ａの中に挿入する構造、開口部３ａを貫通して盾本体の表面に臨む構造、又は開口部３ａの手前（盾本体の裏側）にノズル先端が配置される構造などを採用し得る。
【００２４】
図２に本実施の形態の催涙スプレー２の断面図を示す。催涙スプレー２は、その加圧ボンベ７の内部に液化された催涙ガス１２が充填されており、ボンベ７の底部付近に開口した液化ガス吸上げ用のパイプ１３を介してボンベ７の頂部のノズル１０から外部にガス化した催涙成分が噴出する構成になっている。そしてガスの噴出はボンベ７の頂部等に設けたボタン１４を押してノズル１０の常閉弁１５を押圧して開くことで行っている。
【００２５】
従って、図２に示すようにボンベ７の底部側の吸上げ用パイプ１３の先端開口部が常時液化ガス１２中に浸漬された状態にあることが必要であり、そのためには、図２に示すように、ガスボンベ７が、その底部を下側にした直立状態で盾本体３に取り付ける。起立状態でガスボンベ７を盾本体３に取り付けることで催涙スプレー２は液化ガス１２がほとんどなくなるまで、催涙ガスを噴射することができる。
【００２６】
図１に示す催涙スプレー付き盾を用いる場合には、相手が攻撃をしてきたときには盾本体３で相手の攻撃を受け止め、タイミングを見て催涙スプレー２のボタン１４を押して催涙ガスを噴射して相手を撃退することができる。盾本体３が半透明または透明な材質であれば、相手の動きが良く観察できるので、盾本体３を動かすときだけでなく、催涙スプレー２を作動させるタイミングを取りやすくなるので好都合である。
【００２７】
また、催涙ガスは盾本体３の表面開口部３ａに臨むノズル１０から噴射されるので盾の使用者に催涙ガスがかかりにくいことも大きな利点である。また、催涙ガスの噴射動作時に、相手に向かって催涙スプレー２を作動させる手を伸ばしても盾本体３に保護されているので手を攻撃されにくい。
【００２８】
また、図３は本発明の他の実施の形態の催涙スプレー付き盾の催涙スプレー取付部６の側面図を示す。図３に示す構成は盾の取っ手５の上方に催涙ガスボンベ７を縦方向に設置できる催涙スプレー取付部６を設けた構成であり、盾本体３の裏面に催涙スプレー２を固定し、取っ手５を持つ手で同時に催涙スプレー２のボタン１４を押すことができるようにしたものである。
【００２９】
すなわち、盾本体３の取っ手に催涙スプレー２のガス噴射ボタン１４に連動するレバー１６を設け、該レバー１６に端部が回動自在に作動するアーム１７を設け、該アーム１７の他端部が催涙スプレー２のガス噴射ボタン１４に係合している。そのためレバー１６を押さえると催涙スプレー２のガス噴射ボタン１４が押されて盾本体３の開口部３ａに臨むノズル１０から催涙ガスが噴射される。
【００３０】
この場合には盾本体を持った片方の手で催涙スプレー２の作動も行えるので盾本体３による防御と催涙スプレー２による催涙ガス噴射を行うことができる。
【００３１】
本発明の他の実施の形態の催涙スプレー付き盾の裏面側を見た斜視図を図４に示し、図５（ａ）に図４の取っ手の上方部分の拡大図を示し、図５（ｂ）に取っ手の中間部分の拡大図を示す。
【００３２】
図４、図５に示す構成は盾本体３の取っ手５の中に催涙スプレー２のボンベ７を収納するスペースを設けたものであり、盾本体３の取っ手５の中に催涙スプレー２のボンベ７を収納した後、該取っ手５の適宜の箇所に設けた２以上のネジ１９、２０を取っ手５の外側から押し込んでボンベ７を固定することができる。
【００３３】
ネジ１９はボンベ７の底部を下方から支持するように取っ手５の内部に差し込み、ネジ２０はボンベ頂部のノズルガイド１１の表面を押圧して又はガイド１１に設けた係合溝に差し込んで支持するものである。
【００３４】
また、催涙スプレー２の頂部は取っ手５のボンベを収納するボンベ取付部６から突出するように、ボンベ７のサイズに合わせてネジ１９の設置位置を決定する。
【００３５】
従って盾本体３の取っ手５をしっかり握りながら、その取っ手５を握った手の親指で噴射用ボタン１４を押すことができるようになる。
【００３６】
図４、図５に示す構成は、催涙スプレー２の加圧ガスボンベ７が盾本体３の取っ手５の内部に収納されているので、盾本体が透明であっても相手が催涙スプレーの存在に気づきにくく、催涙スプレーで反撃されると警戒されにくい。また加圧ガスボンベ７の保護が図れ、また盾本体３の必須の構成部材の中に加圧ガスボンベを収納できるので、防護装置としての催涙スプレー付き盾に無駄な突出部がなく、スマートな構成となる。また、盾本体３の取っ手５に催涙ガス噴射用のボタン１４があるので、盾本体３で攻撃に対して防御しながら催涙ガスの噴射も容易に行える。また、透明な盾本体３であっても相手から催涙スプレー２が見えにくいため警戒されにくい。
【図面の簡単な説明】
【図１】本発明の実施の形態の催涙スプレー付き盾の裏面側を見た斜視図を示す。
【図２】図１の盾で使用する催涙スプレーの縦断面図を示す。
【図３】本発明の他の実施の形態の催涙スプレー付き盾の側面図を示す。
【図４】本発明の他の実施の形態の催涙スプレー付き盾の裏面側を見た斜視図を示す。
【図５】図４の取っ手の上方部分の拡大図（図５（ａ））と取っ手の中間部分の拡大図（図５（ｂ））を示す。
【符号の説明】
１　盾　　　　　　　　　　　　２　催涙スプレー
３　盾本体　　　　　　　　　　３ａ　開口部
５　取っ手　　　　　　　　　　６　取付部
７　加圧ガスボンベ　　　　　　９　枠体
１０　催涙ガス噴射ノズル　　　１１　ノズルガイド
１２　催涙ガス　　　　　　　　１３　吸上げ用パイプ
１４　噴射ボタン　　　　　　　１５　常閉弁
１６　レバー　　　　　　　　　１７　アーム
１９、２０　ネジ
【図１】
2004077026.tif 000003
【図２】
2004077026.tif 000004
【図３】
2004077026.tif 000005
【図４】
2004077026.tif 000006
【図５】
2004077026.tif 000007
【手続補正書】
【提出日】平成15年8月19日(2003.8.19)
【手続補正１】
【補正対象書類名】明細書
【補正対象項目名】特許請求の範囲
【補正方法】変更
【補正の内容】
【特許請求の範囲】
【請求項１】
平板状又は湾曲板状の板材から成る盾本体の裏面に取っ手と加圧ガスボンベ内に液化催涙ガスを充填した催涙スプレーの取付部を設けた催涙スプレー付き盾であって、
催涙スプレーには催涙ガス噴射ボタンと該ボタンの押圧により催涙ガスを噴射する催涙ガス噴射ノズルを設け、
該催涙ガス噴射ノズルから出た催涙ガスが盾本体の表面側から噴出する開口部を盾本体に設け、
さらに、催涙スプレーの加圧ガスボンベを、その底部を下側にして直立状態で盾本体に取り付けたことを特徴とする催涙スプレー付き盾。
【請求項２】
盾本体の取っ手に催涙スプレーの催涙ガス噴射ボタン作動用のレバーを取り付けたことを特徴とする請求項１記載の催涙スプレー付き盾。
【請求項３】
催涙スプレーの取付部は、盾本体の取っ手内部に設けた催涙スプレーの加圧ガスボンベ部分の収納部と、取っ手の上部に催涙ガス噴射ボタンを臨ませた構成を備えたことを特徴とする請求項１記載の催涙スプレー付き盾。
【手続補正２】
【補正対象書類名】明細書
【補正対象項目名】０００８
【補正方法】変更
【補正の内容】
【０００８】
【課題を解決するための手段】
上記本発明の課題は、平板状又は湾曲板状の板材から成る盾本体の裏面に取っ手と加圧ガスボンベ内に液化催涙ガスを充填した催涙スプレーの取付部を設けた催涙スプレー付き盾であって、催涙スプレーには催涙ガス噴射ボタンと該ボタンの押圧により催涙ガスを噴射する催涙ガス噴射ノズルを設け、該催涙ガス噴射ノズルから出た催涙ガスが盾本体の表面側から噴出する開口部を盾本体に設け、さらに、催涙スプレーの加圧ガスボンベを、その底部を下側にして直立状態で盾本体に取り付けた催涙スプレー付き盾である。


【手続補正３】
【補正対象書類名】明細書
【補正対象項目名】００１１
【補正方法】変更
【補正の内容】
【００１１】
また、催涙スプレーの加圧ガスボンベを、その底部を下側にして直立状態で盾本体に取り付けた構成とすることで、催涙スプレーの加圧ガスボンベ中の液化催涙ガスが加圧ガスボンベ内に残らず最後まで使い切ることができる。


【手続補正４】
【補正対象書類名】明細書
【補正対象項目名】００１７
【補正方法】変更
【補正の内容】
【００１７】
【発明の効果】
本発明の催涙スプレー付きの盾によれば、盾本体に催涙スプレーを一体化して取り付けたので、盾および催涙スプレーのそれぞれ固有の機能を併せ持つことができ、防護用装置としての機能性が高まり、有効な防御手段となる。
また、催涙スプレーの加圧ガスボンベを、その底部を下側にして直立状態で盾本体に取り付けた構成としたので、催涙スプレーの加圧ガスボンベ中の液化催涙ガスが加圧ガスボンベ内に残らず最後まで使い切ることができ、非常時に噴射がとぎれることなく、また、高価な催涙ガスを無駄にすることがなく、経済的である。
【手続補正書】
【提出日】平成15年12月2日(2003.12.2)
【手続補正１】
【補正対象書類名】明細書
【補正対象項目名】特許請求の範囲
【補正方法】変更
【補正の内容】
【特許請求の範囲】
【請求項１】
平板状又は湾曲板状の板材から成る盾本体の裏面に取っ手と加圧ガスボンベ内に液化催涙ガスを充填した催涙スプレーの取付部を設けた催涙スプレー付き盾であって、
催涙スプレーには催涙ガス噴射ボタンと該ボタンの押圧により催涙ガスを噴射する催涙ガス噴射ノズルを設け、催涙スプレーの加圧ガスボンベを、その底部を下側にして直立状態で盾本体の取っ手の内部に収納し、
催涙スプレーの催涙ガス噴射ノズルを取っ手の外部を通り盾本体の裏面から表面に貫通させて設けた開口部に臨ませたことを特徴とする催涙スプレー付き盾。
【請求項２】
盾本体の取っ手に催涙スプレーの催涙ガス噴射ボタン作動用のレバーを取り付けたことを特徴とする請求項１記載の催涙スプレー付き盾。
【請求項３】
催涙スプレーの取付部は、盾本体の取っ手内部に設けた催涙スプレーの加圧ガスボンベ部分の収納部と、取っ手の上部に催涙ガス噴射ボタンを臨ませた構成を備えたことを特徴とする請求項１記載の催涙スプレー付き盾。
【手続補正２】
【補正対象書類名】明細書
【補正対象項目名】０００８
【補正方法】変更
【補正の内容】
【０００８】
【課題を解決するための手段】
本発明の上記課題は、平板状又は湾曲板状の板材から成る盾本体の裏面に取っ手と加圧ガスボンベ内に液化催涙ガスを充填した催涙スプレーの取付部を設けた催涙スプレー付き盾であって、催涙スプレーには催涙ガス噴射ボタンと該ボタンの押圧により催涙ガスを噴射する催涙ガス噴射ノズルを設け、催涙スプレーの加圧ガスボンベを、その底部を下側にして直立状態で盾本体の取っ手の内部に収納し、催涙スプレーの催涙ガス噴射ノズルを取っ手の外部を通り盾本体の裏面から表面に貫通させて設けた開口部に臨ませた催涙スプレー付き盾である。


【手続補正３】
【補正対象書類名】明細書
【補正対象項目名】００１１
【補正方法】変更
【補正の内容】
【００１１】
また、催涙スプレーの加圧ガスボンベを、その底部を下側にして直立状態で盾本体に取り付けた構成としたので、催涙スプレーの加圧ガスボンベ中の液化催涙ガスが加圧ガスボンベ内に残らず最後まで使い切ることができる。


【手続補正４】
【補正対象書類名】明細書
【補正対象項目名】００１７
【補正方法】変更
【補正の内容】
【００１７】
（１）催涙スプレーの加圧ガスボンベを、その底部を下側にして直立状態で盾本体に取り付けているので、催涙スプレーの加圧ガスボンベ中の液化催涙ガスが加圧ガスボンベ内に残らず最後まで使い切ることができる。
（２）取っ手の外部に催涙ガス噴射ノズルを配置し、該ノズルを盾本体の噴射ガス通過用の開口部に臨ませたので、催涙ガス噴射ノズルが取っ手の内部に設けられた構成等に比べて構造的に簡素である。